(57)【要約】【課題】エンドピースが化粧板と別体の印象を醸し出すことなく、一体の印象を感じさせることができて、前面露出部の外観を高めることができる埋め込み型コンロを提供する。【解決手段】上面にコンロ部が設けられるとともに、前面に操作部１６が設けられた埋め込み型コンロ１１を、上面の上開口及び前面の前開口１８を備えたカウンタートップ１２に対して、コンロ部が上開口に臨むとともに、操作部１６が前開口１８に臨むように取り付ける。このカウンタートップ１２に対するコンロ１１の取付状態で、操作部１６の両側にエンドピース１９を着脱可能に取り付ける。このエンドピース１９の取付状態で、操作部１６の前面に化粧板２１Ｂを、その外端部２１ａがエンドピース１９の前面の少なくとも一部を覆うように着脱可能に取り付ける。【選択図】　　　　図５
2004003758.tif 000002
【特許請求の範囲】
【請求項１】
上面に加熱部が設けられるとともに、前面に操作部が設けられ、上面の上開口及び前面の前開口を備えたカウンタートップに対して、前記加熱部が上開口に臨むとともに、前記操作部が前開口に臨むように取り付けられる埋め込み型コンロであって、前記操作部の両側にエンドピースが配設される埋め込み型コンロにおいて、
前記操作部の前面に化粧板を、その外端部がエンドピースの前面の少なくとも一部を覆うように取り付けたことを特徴とする埋め込み型コンロ。
【請求項２】
前記エンドピースの前面に、上辺部、下辺部及び外側辺部を残して取付凹所を形成し、この取付凹所に化粧板の外端部を配設することを特徴とする請求項１に記載の埋め込み型コンロ。
【請求項３】
前記エンドピースの上辺部、下辺部及び外側辺部の幅を、前記操作部の上辺部及び下辺部の幅とほぼ同一となるように形成したことを特徴とする請求項２に記載の埋め込み型コンロ。
【請求項４】
前記化粧板の外端部に対し、エンドピースを一体又は別体で連結し、エンドピース及び化粧板を操作部の両側又は前面に同時に取り付けるようにした請求項１に記載の埋め込み型コンロ。
【発明の詳細な説明】
【０００１】
【発明の属する技術分野】
この発明は、カウンタートップ（厨房家具）に取り付けて使用される埋め込み型コンロに関するものである。
【０００２】
【従来の技術】
従来のこの種の埋め込み型コンロとしては、実開平１−１５４８４４号公報に開示されるような構成のものが知られている。この従来構成においては、埋め込み型コンロの上面に加熱部が設けられるとともに、前面に操作部が設けられている。又、カウンタートップの上面には上開口が形成されるとともに、前面には前開口が形成されている。そして、カウンタートップに対する埋め込み型コンロの取り付け時には、コンロをカウンタートップの上開口から内部に挿入して、加熱部が上開口に臨むとともに操作部が前開口に臨むように取り付けている。そして、このコンロの取付状態で、操作部の両側にエンドピースを着脱可能に取り付けて、操作部の両側外縁と前開口の両側内縁との間の隙間を塞ぐようになっている。
【０００３】
【発明が解決しようとする課題】
ところで、この種の埋め込み型コンロにおいては、操作部の前面に外観を高めるための化粧板が取り付けられ、その化粧板の取付状態でコンロ全体がカウンタートップに取り付けられるようになっている。そのため、前記のようにカウンタートップに対するコンロの取り付け後に、操作部の両側にエンドピースを取り付けた場合、そのエンドピースが化粧板と別体の印象を醸し出して、前面露出部の外観を損なうという問題があった。
【０００４】
又、従来構成においては、エンドピースが操作部の両側面に係止金具等を介して着脱可能に取り付けられているにすぎないため、そのエンドピースが取付状態から前方に外れやすいという問題もあった。なお、エンドピースをビス等により操作部に締め付け固定する構成も考えられるが、前方からコンロ本体側方に取り付けるには困難が伴い、仮に取り付けられてもエンドピースの前面にビスの頭部が表れるので外観が損なわれることになる。
【０００５】
この発明は、このような従来の技術に存在する問題点に着目してなされたものである。その目的は、エンドピースが化粧板と別体の印象を醸し出すことなく、一体の印象を感じさせることができて、前面露出部の外観を高めることができる埋め込み型コンロを提供することにある。
【０００６】
又、この発明のその他の目的は、エンドピースが取付状態から前方に外れるおそれを防止することができる埋め込み型コンロを提供することにある。さらに、この発明のその上の目的は、化粧板を他の厨房家具の色彩等に合わせて容易に変更することができる埋め込み型コンロを提供することにある。
【０００７】
【課題を解決するための手段】
上記の目的を達成するために、請求項１に記載の発明は、上面に加熱部が設けられるとともに、前面に操作部が設けられ、上面の上開口及び前面の前開口を備えたカウンタートップに対して、前記加熱部が上開口に臨むとともに、前記操作部が前開口に臨むように取り付けられる埋め込み型コンロであって、前記操作部の両側にエンドピースが配設される埋め込み型コンロにおいて、
前記操作部の前面に化粧板を、その外端部がエンドピースの前面の少なくとも一部を覆うように取り付けたことを特徴とするものである。
【０００８】
従って、この請求項１に記載の発明によれば、エンドピースが化粧板と別体の印象を醸し出すことなく、一体の印象を感じさせることができて、コンロの前面の外観を高めることができる。又、エンドピースの前面に化粧板の外端部が配設されているため、エンドピースが取付状態から前方に外れるおそれを防止することができる。さらに、カウンタートップに対するコンロの取付状態で、化粧板を他の厨房家具に合わせて色彩等の異なったものに容易に変更することができる。
【０００９】
請求項２に記載の発明は、請求項１に記載の発明において、前記エンドピースの前面に、上辺部、下辺部及び外側辺部を残して取付凹所を形成し、この取付凹所に化粧板の外端部を配設することを特徴とするものである。
【００１０】
従って、この請求項２に記載の発明によれば、化粧板の外端部をエンドピースの前面の取付凹所内に埋設状態で取り付けることができて、エンドピースと化粧板との一体感をより高めることができる。
【００１１】
請求項３に記載の発明は、請求項２に記載の発明において、前記エンドピースの上辺部、下辺部及び外側辺部の幅を、前記操作部の上辺部及び下辺部の幅とほぼ同一となるように形成したことを特徴とするものである。
【００１２】
従って、この請求項３に記載の発明によれば、エンドピースの上辺部、下辺部及び外側辺部から、操作部の上辺部及び下辺部に連続する枠状のラインを印象付けることができて、エンドピースと化粧板との一体感を一層高めることができる。
【００１３】
請求項４に記載の発明は、請求項１において、前記化粧板の外端部に対し、エンドピースを一体又は別体で連結し、エンドピース及び化粧板を操作部の両側及び前面に同時に取り付けるようにしたことを特徴とするものである。
【００１４】
従って、この請求項４に記載の発明によれば、請求項１記載の発明の作用に加えて、エンドピースと化粧板の取付け作業を容易に行うことができる。
【００１５】
【発明の実施の形態】
以下に、この発明の一実施形態を、図面に基づいて説明する。
図１、図２及び図４に示すように、この実施形態の埋め込み型コンロ１１は、カウンタートップ１２に埋め込み状態で取り付けられるようになっている。埋め込み型コンロ１１のコンロ本体１３の上面には、加熱部としての３つのコンロ部１４が配設されている。コンロ本体１３の前面中央には開閉可能なグリル扉１５ａ及び出没可能なグリル皿１５ｂを有するグリル部１５が配設されるとともに、前面両側には操作部１６が配設されている。又、カウンタートップ１２の上面には上開口１７が形成されるとともに、前面には前開口１８が形成されている。
【００１６】
そして、図２に示すように、コンロ本体１３がカウンタートップ１２の上開口１７から内部に挿入されることにより、埋め込み型コンロ１１全体がカウンタートップ１２に取り付けられる。又、この埋め込み型コンロ１１の取付状態において、コンロ部１４がカウンタートップ１２の上開口１７から上方に臨むとともに、グリル部１５及び両操作部１６が前開口１８から前方に臨むようになっている。
【００１７】
図１及び図２に示すように、前記カウンタートップ１２に対する埋め込み型コンロ１１の取付状態において、各操作部１６の外側部には一対のエンドピース１９が係止手段としての係止金具２０を介して着脱可能に取り付けられる。この係止金具２０はネジ２３によりコンロ本体１３の側壁に取り付けられた板バネであり、エンドピース１９は中空で構成され、その内側壁１９ｄが板バネに挟まれるようにして取り付けられる。これにより、カウンタートップ１２の前開口１８の両側内縁と、各操作部１６の外側縁との間に形成されている隙間が塞がれるようになっている。
【００１８】
又、このエンドピース１９の取付状態において、各操作部１６の前面には化粧板２１Ａ，２１Ｂが取付手段としての複数のネジ２２により着脱可能に取り付けられる。そして、この化粧板２１Ａ，２１Ｂの取付状態で、各化粧板２１Ａ，２１Ｂの外端部２１ａが両エンドピース１９の前面まで延長配置されて、各エンドピース１９の前面の一部が覆われるようになっている。
【００１９】
そこで、前記エンドピース１９及び化粧板２１Ａ，２１Ｂの構成について、さらに詳細に説明する。図３〜図５に示すように、各エンドピース１９は合成樹脂により後面が開口した縦長中空状に形成されている。前記係止金具２０は複数のネジ２３によりコンロ本体１３の各操作部１６の側壁面に取り付けられ、その前端には弾性係止部２０ａが形成されている。そして、カウンタートップ１２に対するコンロ１１の取付状態で、各エンドピース１９を操作部１６の外側前方から係止金具２０に向かって押し付け移動させることにより、図５に示すように、エンドピース１９の内壁後端縁が係止金具２０の弾性係止部２０ａに係合保持されるようになっている。
【００２０】
前記各エンドピース１９の前面には、上辺部１９ａ、下辺部１９ｂ及び外側辺部１９ｃを残して取付凹所２４が形成されている。そして、図３及び図５に示すように、各操作部１６の前面に化粧板２１Ａ，２１Ｂを取り付けた際に、各化粧板２１Ａ，２１Ｂの外端部２１ａが両エンドピース１９の取付凹所２４内に配設される。これにより、エンドピース１９の前面が中央部分の取付凹所２４において覆われるとともに、周側部分の上辺部１９ａ、下辺部１９ｂ及び外側辺部１９ｃにおいて露出されるようになっている。
【００２１】
図２〜図５に示すように、前記各化粧板２１Ａ，２１Ｂは合成樹脂によりほぼ平板状に形成されている。右側の化粧板２１Ａには各コンロ部１４の点火、消火及び火力調節を行うための３つの操作軸２５の挿通孔２６、及び各コンロ部１４の火力表示部２７が設けられている。そして、図２に示すように、化粧板２１Ａが右側の操作部１６の前面に取り付けられた後に、各操作軸２５に操作ノブ２８が着脱可能に取り付けられるようになっている。
【００２２】
一方、左側の化粧板２１Ｂにはグリル部１５の点火、消火及び火力調節を行うための操作軸２９の挿通孔３０、グリル部１５のグリル扉１５ａを開閉させるとともにグリル皿１５ｂを出没させるための操作ボタン３１の挿通孔３２、及びグリル部１５の火力表示部３３が設けられている。そして、図５に示すように、化粧板２１Ｂが左側の操作部１６の前面に取り付けられた後に、操作軸２９に操作ノブ３４が着脱可能に取り付けられるようになっている。
【００２３】
図３〜図５に示すように、前記両操作部１６及びグリル部１５の前面上部には上辺部１６ａが横方向に延長形成されるとともに、前面下部には下辺部１６ｂが上辺部１６ａと平行に延長形成されている。そして、操作部１６の両側にエンドピース１９が取り付けられた状態で、この操作部１６の上辺部１６ａ及び下辺部１６ｂの両端が、各エンドピース１９の上辺部１９ａ及び下辺部１９ｂの内端に連なるようになっている。
【００２４】
又、図３に示すように、前記エンドピース１９の上辺部１９ａ、下辺部１９ｂ及び外側辺部１９ｃの幅Ｗ１〜Ｗ３が、相互間でほぼ同一になるとともに、操作部１６の上辺部１６ａ及び下辺部１６ｂの幅Ｗ４，Ｗ５に対してもほぼ同一になるように形成されている。これにより、各操作部１６の前面に化粧板２１Ａ，２１Ｂを取り付けた状態で、両化粧板２１Ａ，２１Ｂ及びグリル部１５の外周に四角枠状の額縁部が表出されるようになっている。
【００２５】
さらに、図５に示すように、前記各エンドピース１９上の取付凹所２４の深さＴ１が、各化粧板２１Ａ，２１Ｂの外端部２１ａの板厚Ｔ２とほぼ同一あるいはそれ以上となるように形成されている。これにより、各操作部１６の前面に化粧板２１Ａ，２１Ｂを取り付けた状態で、各化粧板２１Ａ，２１Ｂの外端面が取付凹所２４の内周面によって隠蔽されるようになっている。
【００２６】
従って、この実施形態によれば、以下のような効果を得ることができる。
（１）　この埋め込み型コンロ１１においては、カウンタートップ１２に対するコンロ１１の取付状態で、操作部１６の両側にエンドピース１９が係止金具２０を介して取り付けられる。そして、このエンドピース１９の取付状態で、操作部１６の前面に化粧板２１Ａ，２１Ｂが取り付けられ、その化粧板２１Ａ，２１Ｂの外端部２１ａにてエンドピース１９の前面の少なくとも一部が覆われるようになっている。
【００２７】
このため、エンドピース１９が化粧板２１Ａ，２１Ｂと別体の印象を醸し出すことなく、一体の印象を感じさせることができて、コンロ１１の前面露出部の外観を高めることができる。又、エンドピース１９が化粧板２１Ａ，２１Ｂの外端部２１ａとの当接により取付状態に保持されているため、エンドピース１９が取付状態から前方に外れるおそれを確実に防止することができる。さらに、カウンタートップ１２に対するコンロ１１の取付状態で、化粧板２１Ａ，２１Ｂが取り付けられるため、化粧板２１Ａ，２１Ｂを他の厨房家具等に合わせた色彩のもの等を選び取り付けることができる。
【００２８】
（２）　この埋め込み型コンロ１１においては、前記エンドピース１９の前面に、上辺部１９ａ、下辺部１９ｂ及び外側辺部１９ｃに囲われる取付凹所２４が形成され、この取付凹所２４に化粧板２１Ａ，２１Ｂの外端部２１ａが配設されるようになっている。このため、化粧板２１Ａ，２１Ｂの外端部２１ａをエンドピース１９の前面の取付凹所２４内に埋設状態で取り付けることができて、エンドピース１９と化粧板２１Ａ，２１Ｂとの一体感をより高めることができる。
【００２９】
（３）　この埋め込み型コンロ１１においては、前記エンドピース１９上の取付凹所２４の深さＴ１が、化粧板２１Ａ，２１Ｂの外端部２１ａの板厚Ｔ２とほぼ同一あるいはそれ以上となるように形成されている。このため、操作部１６に対する化粧板２１Ａ，２１Ｂの取付状態で、その化粧板２１Ａ，２１Ｂの外端面がエンドピース１９の前面側に露出するのを防止することができて、コンロ１１の前面露出部の外観を一層高めることができる。
【００３０】
（４）　この埋め込み型コンロ１１においては、前記エンドピース１９の上辺部１９ａ、下辺部１９ｂ及び外側辺部１９ｃの幅Ｗ１〜Ｗ３が、前記操作部１６の上辺部１６ａ及び下辺部１６ｂの幅Ｗ４，Ｗ５とほぼ同一となるように形成されている。このため、エンドピース１９の上辺部１９ａ、下辺部１９ｂ及び外側辺部１９ｃから、操作部１６の上辺部１６ａ及び下辺部１６ｂに連続する枠状のラインを印象付けることができて、エンドピース１９と化粧板２１Ａ，２１Ｂとの一体感を一層高めることができる。
（変形例）
なお、この実施形態は、次のように変更して具体化することも可能である。
【００３１】
・　前記実施形態において、エンドピース１９の前面の取付凹所２４を省略し、化粧板２１Ａ，２１Ｂの外端部２１ａをエンドピース１９の前面に重合配置させるように構成すること。
【００３２】
・　前記実施形態において、化粧板２１Ａ，２１Ｂの外端部２１ａにより、エンドピース１９の前面のほぼ全体が覆われるように構成すること。
・　前記実施形態において、コンロ本体１３の前面にグリル部１５を備えない埋め込み型コンロ１１に具体化して、コンロ本体１３の前面の操作部１６全体に１枚の化粧板を取り付けるように構成すること。
【００３３】
・エンドピースに取付凹所２４を形成し、化粧板の端部をそこに重合させる場合、化粧板２１Ａ，２１Ｂの前面全体が凹所２４を囲う上辺部、下辺部、外側辺部より突出しないように構成すること。
【００３４】
・化粧板２１Ａ，２１Ｂの挿通孔３０を操作ノブ２８，３４と同じ大きさとし、埋め込み型コンロ１１をカウンタートップ１２に落とし込む以前に操作軸２９に操作ノブ２８，３４を取付けるようにしてもよい。
【００３５】
・化粧板２１Ａ，２１Ｂの前面に前記操作ボタンの機能を備えたタッチパネル式の操作部を形成してもよい。
・操作部１６の前面に対する化粧板２１Ａ，２１Ｂの取付手段として、ネジ２２に代えて、化粧板２１Ａ，２１Ｂ又は操作部１６のいずれか一方に取付孔を形成し、他方に前記取付孔に嵌合される係止突起を設ける構成としてもよい。又、操作部１６の前面に接着テープにより化粧板２１Ａ，２１Ｂを接着する取付構造としてもよい。
【００３６】
・操作部１６の側壁に対するエンドピース１９の係止手段の変形例として、操作部１６の側壁に切り出しによる係止爪を形成し、そこにエンドピースの壁片を係止するようにしてもよい。さらには、操作部１６の側壁に係止孔を形成し、この係止孔にエンドピースのコンロ本体側に形成した係止爪を係止することもできる。
【００３７】
・　前記実施形態又は変形例において、エンドピース１９を化粧板２１Ａ，２１Ｂの外端部２１ａ側に予め取り付けておいて、エンドピース１９及び化粧板２１Ａ，２１Ｂを操作部１６の両側及び前面に同時に取り付けるように構成すること。
【００３８】
・　前記実施形態又は変形例において、エンドピース１９を化粧板２１Ａ，２１Ｂの外端部２１ａ側に一体に形成しておいて、エンドピース１９及び化粧板２１Ａ，２１Ｂを操作部１６の両側及び前面に同時に取り付けるように構成すること。
【００３９】
・前述した化粧板２１Ａ，２１Ｂにエンドピース１９を一体又は別体で取り付ける構造においては、化粧板２１Ａ，２１Ｂを操作部１６の前面に取り付ければ、エンドピース１９も操作部１６の側方に配設される。このため、操作部１６の側壁に設けていたエンドピース１９を取り付ける係止手段を省略してもよい。この場合にはエンドピース１９は操作部１６の両側外縁と前開口１８の両側内縁との間の隙間に進入させなくてもよい。
【００４０】
又、化粧板２１Ａ，２１Ｂを操作部１６の前面に取付けるビス等の係止手段を省略して、エンドピース１９を操作部１６の側壁に取り付ける係止手段のみを使用してもよい。
【００４１】
・カウンタートップ１２の上開口に臨む加熱部としてコンロ本体１３の天板をガラス製とし、その天板の下に電気ヒータやガスバーナーを配設したものを用いてもよい。
【００４２】
【発明の効果】
以上のように、この発明によれば、エンドピースが化粧板と別体の印象を醸し出すことなく、一体の印象を感じさせることができて、前面露出部の外観を高めることができるという優れた効果を発揮する。
【図面の簡単な説明】
【図１】一実施形態の埋め込み型コンロをカウンタートップに取り付けた状態を示す正面図。
【図２】図１のカウンタートップに対する埋め込み型コンロの取り付け方法を示す要部断面図。
【図３】図１の埋め込み型コンロを拡大して示す正面図。
【図４】図３の埋め込み型コンロの斜視図。
【図５】図３の５−５線における部分拡大断面図。
【符号の説明】
１１…埋め込み型コンロ、１２…カウンタートップ、１３…コンロ本体、１４…加熱部としてのコンロ部、１６…操作部、１６ａ…上辺部、１６ｂ…下辺部、１７…上開口、１８…前開口、１９…エンドピース、１９ａ…上辺部、１９ｂ…下辺部、１９ｃ…外側辺部、２１Ａ，２１Ｂ…化粧板、２１ａ…外端部、２４…取付凹所、Ｗ１〜Ｗ５…幅。
【図１】
2004003758.tif 000003
【図２】
2004003758.tif 000004
【図３】
2004003758.tif 000005
【図４】
2004003758.tif 000006
【図５】
2004003758.tif 000007